(57)【要約】【課題】操作ハンドルにより連動部材を上下動させてロックピンを係止片に係合、離脱させ障子を施錠、解錠するようにした障子施錠装置において、連動部材が正しく直線往復運動し、組み込みが容易で連動部材が変形しにくい障子施錠装置を提供する。【解決手段】連動部材２は、金属材料で開口部に係止縁１０を有する断面略コ字状に形成され、ハンドル部ガイド１４とロック部ガイド１５は合成樹脂材料で形成されている。ハンドル部ガイド１４には環状ガイド溝１６があり、ロック部ガイド１５には平行して延びる直線状ガイド溝１７が両側に設けられている。連動部材２は、係止縁１０が環状ガイド溝１６と直線状ガイド溝１７に摺動自在に嵌合する状態で、ハンドル部ガイド１４とロック部ガイド１５に渡って設けられる。【選択図】図４
2018104947.tif 000002
【特許請求の範囲】
【請求項１】
窓枠に沿って設けた連動部材を操作ハンドルにより直線往復運動させ、該連動部材に設けたロックピン若しくは係止片を障子に設けた係止片若しくはロックピンに係合、離脱して施錠、解錠する障子施錠装置において、上記連動部材は断面略コ字状に形成され、窓枠には合成樹脂材料製のガイドが設けられ、該ガイドは上記連動部材が摺動可能に嵌合するようガイド溝を両側に具備していることを特徴とする障子施錠装置。
【請求項２】
上記連動部材は、断面コ字状の開口端に対向して内向きに延びる係止縁を有し、上記ガイドのガイド溝は外向きに開口して平行して延びており、上記係止縁が上記ガイド溝に摺動可能に嵌合する請求項１に記載の障子施錠装置。
【請求項３】
上記ガイドは、操作ハンドルに設けたクランクに隣接するハンドル部ガイドと、ロックピンと係止片の係合部に隣接するロック部ガイドを具備し、該ハンドル部ガイドとロック部ガイドは連動部材の移動方向に沿って上下に間隔を空けて設けられている請求項１又は２に記載の障子施錠装置。
【請求項４】
上記ハンドル部ガイドは、周面に環状ガイド溝を有する略円板状に形成され、上記ロック部ガイドは平行に延びる直線状ガイド溝を両側に有する略角板状に形成され、上記連動部材の上記係止縁は上記ハンドル部ガイドの環状ガイド溝とロック部ガイドの直線状ガイド溝に渡って摺動可能に嵌合している請求項３に記載の障子施錠装置。
【請求項５】
上記ロック部ガイドは、矩形板状に形成され、矩形の長辺に上記直線状ガイド溝が形成されている請求項３又４に記載の障子施錠装置。
【請求項６】
上記ロック部ガイドは、間隔を空けて設けた固定部で両端が窓枠に固定され、上記連動部材が施錠位置にあるとき、上記ロック部ガイドの両端の固定部の中間部に相当する位置にロックピン若しくは係止片が設けられている請求項３から５のいずれかに記載の障子施錠装置。
【請求項７】
上記ハンドル部ガイドは、中心に設けた固定部で窓枠に固定され、上記連動部材が施錠位置にあるとき、上記ハンドル部ガイドの固定部に重なる位置に操作ハンドルのクランクに連結する作動ピンが設けられている請求項３から６のいずれかに記載の障子施錠装置。
【請求項８】
上記クランクは作動ピンが係合する係合孔を有し、該係合孔はクランクに沿った遊動溝と、該遊動溝の先端から屈曲し延びるロック溝により略Ｌ字状に形成されている請求項７に記載の障子施錠装置。
【請求項９】
上記連動部材は、開口端に対向して内向きに延びる係止縁を有し、上記ガイド溝は内向きに開口して平行に延びており、上記連動部材は上記ガイド溝間に摺動可能に嵌合する請求項１に記載の障子施錠装置。
【請求項１０】
上記請求項１から９のいずれかに記載の障子施錠装置を備えた障子。
【発明の詳細な説明】
【技術分野】
【０００１】
本発明は、操作ハンドルを介して連動部材を移動させ、ロックピンと係止片により障子を施錠できるようにした障子施錠装置に係るものである。
【背景技術】
【０００２】
窓枠と障子にロックピンと該ロックピンに係合可能な係止片を設け、障子を閉鎖したときロックピン若しくは係止片を移動させて施錠するようにした障子施錠装置が知られている (例えば特許文献１、２参照)。通常、窓の縦枠に沿って上下動する連動部材の上方部分にロックピン若しくは係止片を設け、この連動部材の下方部分に操作ハンドルのクランクを連結してある。操作ハンドルを回動すると、連動部材はクランクを介して縦枠に沿って上下動し、ロックピンと係止片が係合して障子を施錠し閉鎖位置に引き寄せたり、係合を外して解錠し障子を開放可能にすることができる。一般に、この連動部材は、金属材料で長尺板状に構成され、ガイド溝を有する金属材料製の取付部材を窓枠に設けたり、窓枠自体にガイド溝を形成して該ガイド溝に摺動可能に挿入したり、連動部材の外周の一部を取り囲む金属材料製のガイド部材を縦枠に固定し、該ガイド部材にガイドされて摺動するように設けられている。そのため、連動部材が上下動する際に、上下方向や左右方向、前後方向に動揺すると、金属材料部分が接触して摩耗、損傷が発生し、連動部材とガイド溝間の間隙が大きくなって正確にガイドすることができなくなり、連動部材を安定状態で直線往復運動させることができないことがあった。また、連動部材の一部に見込み方向の力がかかると、連動部材がゆがんだり、撓んだりして連動部材が変形するおそれもあった。
【０００３】
上記のような金属材料部分どうしの接触を避けるために、合成樹脂材料製のガイド体を設けることが知られている。例えば、連動部材の両端に合成樹脂材料製のガイド体を取り付けてガイド溝の内面に摺接するようにしたり(例えば特許文献３参照)、連動部材の側面に合成樹脂材料製の突片を突設してガイド溝に摺接するようにしたり、連動部材を囲む金属材料製のガイド部材の内面に別体で形成した合成樹脂材料製の裏張りを設けて連動部材が摺接するようにした構成が知られている。
【０００４】
しかし、ガイド体を連動部材の両端に取付けた構成では、ガイド体が連動部材の両端を囲むように大きく形成されているので、ガイド体をガイド溝に差し込むためには、取付部材や窓枠を外してガイド体をガイド溝の上方若しくは下方の開口端から差し込まなければならず、組み込むのが非常に面倒である。また、連動部材の側面から合成樹脂製の突片を突設させる構成では、連動部材が長尺の場合、曲がり、うねり等が生じるので、ガイドと連動部材の側面との間隙を大きくしなければならず、そのため連動部材の直進往復運動性が悪くなるおそれがある。また、ガイド部材の裏側に合成樹脂材料製の裏張りをしたものでは、金属材料製のガイド部材と合成樹脂材料製の裏張りを別々に作り、それをばらばらにならないように組み合わせなければならないので、部品点数が多くなって経済的でない。また、施錠状態の障子に見込み方向の力が作用すると、ロックピンと係止片を介して連動部材の一部に横方向に引張力がかかり、この引張力により連動部材が変形して連動部材の移動が不安点になることもある。  
【先行技術文献】
【特許文献】
【０００５】
【特許文献１】特開２００６−２２５１５号公報(段落０００８、０００９、図１、図２)
【特許文献２】特開２００６−２８８１３号公報(段落０００８、図２、図３)
【特許文献３】特開２００９−２８１０１３号公報(段落００１８、図３、図５、図６)
【発明の概要】
【発明が解決しようとする課題】
【０００６】
本発明は、連動部材を上下動させてロックピンと係止片を係合、離脱し、施錠、解錠できるようにした障子施錠装置において、連動部材の動きが滑らかで安定状態で直線往復運動し、部品点数も少なく、組み込みも容易で経済的に得られ、かつ経年使用しても狂いが生じにくい障子施錠装置を提供することである。
【課題を解決するための手段】
【０００７】
本発明によれば、窓枠に沿って設けた連動部材を操作ハンドルにより直線往復運動させ、該連動部材に設けたロックピン若しくは係止片を障子に設けた係止片若しくはロックピンに係合、離脱して施錠、解錠する障子施錠装置において、上記連動部材は断面略コ字状に形成され、窓枠には合成樹脂材料製のガイドが設けられ、該ガイドは上記連動部材が摺動可能に嵌合するようガイド溝を両側に具備していることを特徴とする障子施錠装置が提供され、好ましくは上記連動部材は、断面略コ字状の開口端に対向して内向きに延びる係止縁を有し、該係止縁が上記ガイド溝に摺動可能に嵌合する上記障子施錠装置が提供され、上記課題が解決される。
【０００８】
また、本発明によれば、上記ガイドは、操作ハンドルに設けたクランクに隣接するハンドル部ガイドと、ロックピンと係止片の係合部に隣接するロック部ガイドを具備し、該ハンドル部ガイドとロック部ガイドは連動部材の移動方向に沿って上下に間隔を空けて固定され、上記ハンドル部ガイドは周面に環状ガイド溝を有する略円板状に形成され、上記ロック部ガイドは平行に延びる直線状ガイド溝を両側に有する略角板状に形成され、上記連動部材の上記係止縁は上記ハンドル部ガイドの環状ガイド溝とロック部ガイドの直線状ガイド溝に渡って摺動可能に嵌合している上記障子施錠装置が提供される。
【０００９】
本発明によれば、上記ロック部ガイドは矩形板状に形成され、長辺に沿って直線状ガイド溝が設けられている上記障子施錠装置が提供される。
【００１０】
また、本発明によれば、上記ロック部ガイドは間隔を空けて設けた固定部で両端が窓枠に固定され、上記連動部材が施錠位置にあるとき、上記ロック部ガイドの両端の固定部の中間部に相当する位置にロックピン若しくは係止片が設けられ、かつ上記ハンドル部ガイドの固定部に重なる位置に操作ハンドルのクランクに連結する作動ピンが設けられている上記障子施錠装置が提供される。
【発明の効果】
【００１１】
本発明は上記のように構成され、連動部材を断面略コ字状に形成し、窓枠に合成樹脂材料製のガイドを設け、該ガイドの両側に上記連動部材が摺動可能に嵌合するようガイド溝を設けたので、金属材料製の連動部材は、合成樹脂材料製のガイドに案内されて円滑に摺動し、摩耗、損傷が防止され、安定状態で移動する。そして、ガイド自体を合成樹脂材料で形成して窓枠に固定する構成であるから、部品点数が少なく、経済的に得ることができる。
【００１２】
また、上記ガイドを、操作ハンドルに設けたクランクに隣接するハンドル部ガイドと、ロックピンと係止片の係合部に隣接するロック部ガイドで構成して連動部材の移動方向に沿って上下に間隔を空けて固定し、上記ハンドル部ガイドを周面に環状ガイド溝を有する略円板状に形成し、上記ロック部ガイドを平行して延びる直線状ガイド溝を両側に有する略角板状に形成し、上記連動部材の上記係止縁を上記ハンドル部ガイドの環状ガイド溝とロック部ガイドの直線状ガイド溝に渡って摺動可能に嵌合させると、金属材料製の連動部材は、上下に設けた合成樹脂材料製のハンドル部ガイドとロック部ガイドで支持され、かつ上記環状ガイド溝及び直線状ガイド溝に係止縁が摺接して直進性が確保され、確実に直線往復運動を行うことができる。
【００１３】
また、上記ハンドル部ガイドを、環状ガイド溝を有する略円板状に形成し、ロック部ガイドを、直線状ガイド溝を両側に有する略角板状に形成すると、各ガイドに連動部材を嵌合させるとき、最初に連動部材を傾けて一端をハンドル部ガイドに嵌合させた後、連動部材を起立しつつロック部ガイド方向に移動して他端をロック部ガイドに嵌合させれば連動部材をハンドル部ガイドとロック部ガイドに簡単に組み込むことができる。
【００１４】
上記ロック部ガイドを矩形板状に形成して短辺側の両端を窓枠に固定し、ロックピンと係止片が係合している施錠位置に連動部材が移動しているとき、上記ロック部ガイドの両端の固定部の中間に対応する位置にロックピン若しくは係止片が位置するように連動部材にロックピン若しくは係止片を設けると、連動部材に作用する見込み方向の力を両端の固定部で分散して確実に受け止めることができ、連動部材が変形したり、固定部に緩みを生じないようにできる。さらに、上記施錠位置において、ハンドル部ガイドの固定部に重なる位置に連動部材と操作ハンドルのクランクを連結する作動ピンを設けておくと、連動部材に作用する上記力を作動ピン、クランクを介して操作ハンドル部分でも受け止めることができ、連動部材の変形を防止することができる。
【図面の簡単な説明】
【００１５】
【図１】障子に設けた係止片と連動部材に設けたロックピンの対応関係を展開して示す説明図。
【図２】作動ピン部分を断面して示す拡大説明部
【図３】ロックピン部分を断面して示す拡大説明図。
【図４】一部を省略した分解斜視図。
【図５】ハンドル部ガイドの固定部を示す拡大断面図。
【図６】ロック部ガイドの固定部を示す拡大断面図。
【図７】連動部材と、ハンドル部ガイド及びロック部ガイドの各固定部の関係を示す一部省略縦断面図。
【図８】ロック部ガイドの他の実施例を示す断面図。
【発明を実施するための形態】
【００１６】
本発明に係る障子施錠装置は、窓枠１に沿って設けた連動部材２を操作ハンドル３のクランク４を介して直線往復運動させ、該連動部材に設けたロックピン５若しくは係止片６を障子７に設けた係止片６若しくはロックピン５に係合、離脱して施錠、解錠するよう構成されている。図１に示す実施例では、上記ロックピン５は連動部材２に固定され、係止片６が障子７に固定されている。係止片６はロックピン５方向に開口８する受溝を有する掛止部９を有し、ロックピン５は障子を閉鎖したとき該掛止部９の開口８に入り込む位置にある。そして、閉鎖位置で上記連動部材２をロックピン５が掛止部９の受溝に入り込む方向に、図１において上方に移動させると係止片６とロックピン５が係合し、障子７を施錠することができる。連動部材２を逆方向に移動させると、ロックピン５は掛止部９の開口８に戻り、解錠位置になって障子７を開放することができる。なお、上記係止片の掛止部の受溝が延びる方向により連動部材を降下させて施錠し、上昇させてロックを解除することもある。この場合、障子の開閉に拘わらず、連動部材は、連動部材の自重で常時下降状態(施錠位置)に維持されるので、何らかのばね或いはカム等で常時上昇位置を維持するよう付勢する必要がある。
【００１７】
上記連動部材２は、アルミ材料等の金属材料で断面略コ状に形成され、その開口端には係止縁１０が対向状態に内向きに形成されている。該連動部材２には、作動ピン１１が固定され、該作動ピン１１には操作ハンドル３のクランク４が係合する係合孔１２が設けられている。該係合孔１２は、クランク４に沿って延びる遊動溝１２ａと、該遊動溝の先端から屈曲して延びるロック溝１２ｂを有する略Ｌ字状に形成され、施錠位置で作動ピン１１はロック溝１２ｂに入ってデッドとなり、デッドに入った状態では外部から連動部材を解錠方向に動作させることができないようにしてある。また、障子の閉鎖位置において、障子７に設けた係止片６に対応するよう連動部材２には、上記ロックピン５が固定されている。上記作動ピン１１及びロックピン５を連動部材２に固定する方法としては種々に構成することができる。例えば、ねじ１３で連結部材２に固定したり、作動ピン、ロックピンの基端にカシメ部を設けて連動部材にカシメることにより固定することができるが、いずれの場合も 連動部材の内面に固定部分が大きく突出しないようにしてある。なお、上記作動ピンの先端に雌ねじ部を設けてクランク４の先端部に通した雄ねじでクランクを連結することもできる(図示略)。
【００１８】
窓枠１の縦枠には、合成樹脂材料で形成されたガイドが設けられている。該ガイドは、連動部材の長さに応じて単数若しくは複数のガイドで構成することができる。図１に示す実施例では、操作ハンドル３のクランク４に隣接するハンドル部ガイド１４と、ロックピン５と係止片６の係合部に隣接するロック部ガイド１５を具備し、これらのガイド１４、１５が上下方向に間隔を空けて上記連動部材２の移動方向に沿うように固定されている。上記ハンドル部ガイド１４は周面に環状ガイド溝１６を有する略円板状に形成され、該環状ガイド溝１６の接線方向の部分が連動部材２をガイドする両側のガイド溝となっている。上記ロック部ガイド１５は平行して延びる直線状ガイド溝１７を両側に有する略角板状に形成されている。図４に示す実施例では、直線状ガイド溝１７は、略角板状の部材の両側に外向きに開口して設けられている。上記環状ガイド溝１６の内径及び直線状ガイド溝１７の内底１８間の間隔は、平行して延びる上記連動部材２の係止縁１０間の対向間隔よりも少し小さく形成され、上記係止縁１０を各ガイド溝１６、１７に差し込んだとき該ガイド溝１６、１７から外れないよう上記係止縁１０がその溝内に収納される。この構成により、上記連動部材２は、両端が上記ガイド１４、１５で支持されるとともに上記係止縁１０が上記ハンドル部ガイド１４の環状ガイド溝１６とロック部ガイド１５の直線状ガイド溝１７に渡って摺動可能に嵌合した状態に保持されるから、直進往復運動が確保される。なお、ロック部ガイド１５は、図に示す実施例では略矩形板状に形成されているが、対向状態に平行な側面を有する断面六角形、断面八角形その他の断面多角形の角板状体に形成することもできる。また、図８に示すように、略角板状の部材の両側に逆Ｌ字状の壁を形成して内向きに開口する直線状ガイド溝１７を設け、上記連動部材２を直線状ガイド溝１７間に摺動可能に嵌合するように構成することもできる。
【００１９】
上記ハンドル部ガイド１４の固定部１９は、中心に設けた取付孔に皿状の補強片２０を当てて皿ねじ２１を通し、窓枠に設けた取付孔にねじ着してある。上記ロック部ガイド１５の固定部２２は、間隔を空けて両端側に設けた取付孔に補強片２０と皿ねじ２１を通し、窓枠に設けた取付孔にねじ着してある。そして、上記連動部材２が施錠位置にあるとき、上記ロック部ガイド１５の両端の固定部２２の中間部に相当する位置に上記ロックピン５が位置するように連動部材２にロックピン５が固定されている。また、連動部材２が施錠位置にあるとき、上記ハンドル部ガイド１４の固定部１９に重なる位置に上記作動ピン１１が位置するように連動部材２に作動ピン１１が取り付けられている。
【００２０】
上記操作ハンドル３の基端は、ロックハンドル本体２３に回動可能に設けた回動軸(図示略)の一端に、ばねを介して跳ね上げ可能に枢着され、該回動軸の他端に上記クランク４が固定されている。該操作ハンドル３は、不使用時はロックハンドル本体２３内に収納され、先端がロック手段で保持されている。ボタン２４を押してロック手段を解除すると、操作ハンドル３は、ロックハンドル本体２３から先端が突出し、回動することができる。
【００２１】
図４を参照し、上記連動部材２、ハンドル部ガイド１４及びロック部ガイド１５を窓枠の縦枠に取付けるには、ハンドル部ガイド１４とロック部ガイド１５を縦枠に固定し、作動ピン１１、ロックピン５を取り付けた連動部材２を傾けて下端の開口部の係止縁１０をハンドル部ガイド１４の環状ガイド溝１６に挿入し、その後連動部材２を起立させながら先端の開口部の係止縁１０をロック部ガイド１５の直線状ガイド溝１７に挿入して引き上げ、作動ピン１１に操作ハンドル３のクランク４の係合孔１２を嵌合させればよい。
【００２２】
上記の構成により操作ハンドル３を回動するとクランクを介して連動部材２が上下動し、合成樹脂材料で作られたロック部ガイド１５の直線状ガイド溝１７とハンドル部ガイド１４の環状ガイド溝１６に案内されて連動部材２は正確に直線往復運動し、長期にわたって安定状態で施錠、解錠することができる。
【００２３】
上記のように、施錠状態でロックピンと係止片が係合することにより連動部材２に見込み方向の外力が作用しても、ロックピンに係る力はロック部ガイド１５の両端の固定部２２で均等に分散して支持され、かつハンドル部ガイド１４の固定部１９に重なって位置する作動ピン１１及びクランク４を介して操作ハンドル３の部分でも直接的に支持され、かつ連動部材が開口端に係止縁を有する断面コ字状に形成されているから、連動部材が簡単に曲がったり、ねじれたり、うねったりするおそれがない。
【００２４】
なお、ハンドル部ガイド１４とロック部ガイド１５は上記実施例の他、種々に構成することができる。例えば、連動部材２の長さ、ハンドル部ガイドとロック部ガイド間の距離、連動部材に加わる外力等により、ハンドル部ガイドとロック部ガイドを、いずれも周面に環状ガイド溝を有する合成樹脂材料製の略円板状のガイドにしてもよいし、いずれも平行に延びる直線状ガイド溝を有する合成樹脂材料製の略角板状のガイドにしてもよい。さらに、ハンドル部ガイドを略角板状のガイドとし、ロック部ガイドを略円板状のガイドとしたり、連動部材が短い場合は、略円板状若しくは略角板状に形成したロック部ガイドだけを使用することもできる。
【符号の説明】
【００２５】
１    窓枠
２    連動部材
３    操作ハンドル
４    クランク
５    ロックピン
６    係止片
７    障子
１０  係止縁
１１  作動ピン
１４  ハンドル部ガイド
１５  ロック部ガイド
１６  環状ガイド溝
１７  直線状ガイド溝
【図１】
2018104947.tif 000003
【図２】
2018104947.tif 000004
【図３】
2018104947.tif 000005
【図４】
2018104947.tif 000006
【図５】
2018104947.tif 000007
【図６】
2018104947.tif 000008
【図７】
2018104947.tif 000009
【図８】
2018104947.tif 000010